(57)【特許請求の範囲】
【請求項１】
直方体形状の紙箱の一方の相対向する上端縁から各折り目を介して折曲自在な開閉天板を夫々設け、これらの各開閉天板の先端縁に各折り目を介して起立型の把手片を夫々設け、当該把手片に上記各折り目の中央部分から略山型の切り込みを夫々設け、当該把手片を各折り目により起立させて相互に重ね合わせて各把手片の両側に設けた係止片に、当該紙箱の他方の相対向する上端縁に設けた略三角形状の各被係止片の長孔を嵌入して形成される把手部付組立て紙箱において、
上記開閉天板の一方の開閉天板の左右の各端縁に折り目を介して左右の内側天板を夫々設け、これらの左右の各内側天板の各前端縁に折り目を介して左右の折曲片を夫々設け、上記左右の各内側天板を各折り目により上記開閉天板の内側に折り込んで当該開閉天板上で重なり合った当該左右の各内側天板の先端縁を貼着して当該開閉天板と左右の各内側天板との間に備品収納部を設け、
上記左右の各折曲片を各折り目により上記備品収納部側に折り込んで当該左右の各折曲片の先端部を当該開閉天板の切り込み内に差し入れるか、又は上記備品収納部内に差し入れ、上記一方の開閉天板を折り目により略水平に折り込んで把手片を起立させ、さらに、他方の開閉天板を折り目により略水平に折り込んで当該開閉天板の把手片を起立させて上記一方の開閉天板の把手片と重ね、各把手片の両側の係止片に各被係止片の長孔を嵌入することを特徴とする、備品収納部付組立て紙箱。
【請求項２】
上記一方の開閉天板の左右に設けた各内側天板が当該一方の開閉天板の左右端縁から前方向に拡張させた形状とし、当該左右の各内側天板を当該一方の開閉天板の内側に夫々折り込んだ際、底板と略同じ大きさに設けたことを特徴とする、上記請求項１に記載の備品収納部付組立て紙箱。
【請求項３】
上記左右の各内側天板の各折曲片を縦長形状に夫々設けたことを特徴とする、上記請求項１又は２の何れかに記載の備品収納部付組立て紙箱。
【請求項４】
上記左右の各内側天板の各折曲片の外端縁に突起を夫々設け、当該各折曲片の先端部を上記開閉天板の切り込み内に差し入れた際、上記各突起が当該切り込みの内端縁に係止されることを特徴とする、上記請求項１、２又は３の何れかに記載の備品収納部付組立て紙箱。
【請求項５】
上記左右の各内側天板に通気用の貫通孔を夫々設けたことを特徴とする、上記請求項１、２、３又は４の何れかに記載の備品収納部付組立て紙箱。
【発明の詳細な説明】
【技術分野】
【０００１】
この発明は、洋菓子店等において、菓子やその他の食品等の持ち運びに使用される組立て自在な紙箱に関するものであって、特に、当該紙箱内部の温度の上昇を防ぐ保冷体等を収納するスペースを設けた備品収納部付組立て紙箱に関するものである。
【背景技術】
【０００２】
従来、洋菓子店において、ケーキなどの生菓子を販売する際、持ち運びに便利な紙製の組立て紙箱（以下、単に「紙箱」と言う。）を使用している。この様な紙箱においては、気温が上がる夏場はもちろん、昨今では、冬であっても、多くの場所で暖房が充分に行われているため、生ものであるケーキ等が傷まないように、当該紙箱内に保冷体を収納するスペースを設け、当該スペースに保冷体を入れて、当該紙箱内の温度が上昇するのを防ぐようにしている。
【０００３】
この様な紙箱として、紙箱内に載置されたケーキ等と接触し難く、かつ、効果的に温度上昇を防ぐものとして、いわゆる、キャリータイプと呼ばれる、上部に把手部を設けた紙箱において、紙箱の上蓋板の下面に、四角形のシート部材の一方向のみを開放状態とし、他の三方向の周縁を固着して、保冷体を収納する収納部を設けたものが有る。
【０００４】
また、紙箱の蓋部分を形成する二枚の板体の下方に、保冷体を収納する扁平な直方体形状の保冷体収納ケースを設けたものが有る。この紙箱では、保冷体収納ケースを蓋部分の下方に取り付けるのに、当該保冷体収納ケースに設けた左右位置決め片８６、８７を立設させ、当該紙箱の把手片である取手片３１、３２で挟み、蓋部分を形成する板体の先端縁を当該保冷体収納ケースの上面に設けた溝孔内に差し入れて保持するというものである。
【特許文献１】特開２００５−１７０４４４号公報
【特許文献２】実用新案登録第３０８７１７３号公報
【発明の開示】
【発明が解決しようとする課題】
【０００５】
しかしながら、上記前者の紙箱では、シート部材の開放部が一方しか開放されていないので、店頭における混雑時では、当該シート部材の内部に保冷体を素早く入れ難い。
また、上記後者の紙箱では、店頭における混雑時では、上記の様な作業を行うのは、手間を要し、あまり好まれるものではない。さらに、紙箱内に、一定の体積を有する扁平な直方体形状の保冷体収納ケースを、別途設けるので、当該紙箱内に収められたケーキ等と接触し易く、当該ケーキ等に損傷を与えるおそれがある。
【０００６】
そこで、この発明は、紙箱の天板部分に、当該紙箱内には殆ど突出せず、かつ当該紙箱内のケーキ等を入れるスペースと完全に区分され、さらに、保冷体等を収納し易く、かつ保冷体等が落下し難い備品収納部を設けた組立て紙箱を提供するものである。
【課題を解決するための手段】
【０００７】
請求項１の発明は、直方体形状の紙箱の一方の相対向する上端縁から各折り目を介して折曲自在な開閉天板を夫々設け、これらの各開閉天板の先端縁に各折り目を介して起立型の把手片を夫々設け、当該把手片に上記各折り目の中央部分から略山型の切り込みを夫々設け、当該把手片を各折り目により起立させて相互に重ね合わせて各把手片の両側に設けた係止片に、当該紙箱の他方の相対向する上端縁に設けた略三角形状の各被係止片の長孔を嵌入して形成される把手部付組立て紙箱におけるものである。
【０００８】
上記開閉天板の一方の開閉天板の左右の各端縁に折り目を介して左右の内側天板を夫々設け、これらの左右の各内側天板の各前端縁に折り目を介して左右の折曲片を夫々設け、上記左右の各内側天板を各折り目により上記開閉天板の内側に折り込んで当該開閉天板上で重なり合った当該左右の各内側天板の先端縁を貼着して当該開閉天板と左右の各内側天板との間に備品収納部を設ける。
【０００９】
上記左右の各折曲片を各折り目により上記備品収納部側に折り込んで当該左右の各折曲片の先端部を当該開閉天板の切り込み内に差し入れるか、又は上記備品収納部内に差し入れ、上記一方の開閉天板を折り目により略水平に折り込んで把手片を起立させ、さらに、他方の開閉天板を折り目により略水平に折り込んで当該開閉天板の把手片を起立させて上記一方の開閉天板の把手片と重ね、各把手片の両側の係止片に各被係止片の長孔を嵌入する備品収納部付組立て紙箱とした。
【００１０】
請求項２の発明は、上記一方の開閉天板の左右に設けた各内側天板が当該一方の開閉天板の左右端縁から前方向に拡張させた形状とし、当該左右の各内側天板を当該一方の開閉天板の内側に夫々折り込んだ際、底板と略同じ大きさに設けた上記請求項１に記載の備品収納部付組立て紙箱とした。また、請求項３の発明は、上記左右の各内側天板の各折曲片を縦長形状に夫々設けた上記請求項１又は２の何れかに記載の備品収納部付組立て紙箱とした。
【００１１】
請求項４の発明は、上記左右の各内側天板の各折曲片の外端縁に突起を夫々設け、当該各折曲片の先端部を上記開閉天板の切り込み内に差し入れた際、上記各突起が当該切り込みの内端縁に係止される上記請求項１、２又は３の何れかに記載の備品収納部付組立て紙箱とした。さらに、請求項５の発明は、上記左右の各内側天板に通気用の貫通孔を夫々設けた上記請求項１、２、３又は４の何れかに記載の備品収納部付組立て紙箱とした。
【発明の効果】
【００１２】
請求項１の発明によれば、把手部付組立て紙箱において、開閉天板と左右の各内側天板との間に備品収納部を設け、上記左右の各折曲片を各折り目により上記備品収納部側に折り込んで当該左右の各折曲片の先端部を当該開閉天板の切り込み内、又は上記備品収納部内に差し入れるので、当該各折曲片の先端部が上記切り込み内で係止等されたり、上記備品収納部内で開閉天板と備品に挟まれて略固定されたりして、当該各折曲片に当該備品収納部内に収納された備品が押さえられて安定して収納され、ケーキ等の収納スペースに落下することなく、また、無闇に移動することもない。
【００１３】
請求項２の発明によれば、上記一方の開閉天板の左右に設けた各内側天板が当該一方の開閉天板の左右端縁から前方向に拡張させた形状とし、当該左右の各内側天板を当該一方の開閉天板の内側に夫々折り込んだ際、底板と略同じ大きさに設けたので、備品収納部を広く形成することが出来、当該備品収納部内に備品をより安定して収納することが出来る。
【００１４】
請求項３の発明によれば、上記左右の各内側天板の各折曲片を縦長形状に夫々設けたので、上記備品収納部に備品を収納した際、備品の上から各折曲片を折り込んで延ばし、当該各折曲片の先端部を当該開閉天板の切り込み内、又は上記備品収納部内に容易に差し入れ出来るようにしたので、備品収納部内の備品がより安定して収納出来、紙箱として信頼性の高いものである。
【００１５】
請求項４の発明によれば、上記左右の各内側天板の各折曲片の外端縁に突起を夫々設け、当該各折曲片の先端部を上記開閉天板の切り込み内に差し入れた際、上記各突起が当該切り込みの内端縁に係止されるようにしたので、備品収納部に備品を安定して確実に収納することが出来、当該備品が無闇に移動することを防ぐことが出来る。
【００１６】
請求項５の発明によれば、紙箱の上部に形成される備品収納部の底面を形成する上記左右の各内側天板に通気用の貫通孔を夫々設けたので、備品として、保冷体を入れた場合、この貫通孔により、冷気の流通が促進され、より効果的に紙箱内の温度上昇を抑えることが出来る。
【発明を実施するための最良の形態】
【００１７】
直方体形状の紙箱の一方の相対向する上端縁から各折り目を介して折曲自在な開閉天板を夫々設け、これらの各開閉天板の先端縁に各折り目を介して起立型の把手片を夫々設け、当該把手片に上記各折り目の中央部分から略山型の切り込みを夫々設け、当該把手片を各折り目により起立させて相互に重ね合わせて各把手片の両側に設けた係止片に、当該紙箱の他方の相対向する上端縁に設けた略三角形状の各被係止片の長孔を嵌入して把手部付組立て紙箱を形成する。
【００１８】
この様な組立て紙箱において、上記開閉天板の一方の開閉天板の左右の各端縁に折り目を介して左右の内側天板を夫々設け、これらの左右の各内側天板の各前端縁に折り目を介して左右の折曲片を夫々設け、上記左右の各内側天板を各折り目により上記開閉天板の内側に折り込んで当該開閉天板上で重なり合った当該左右の各内側天板の先端縁を貼着して当該開閉天板と左右の各内側天板との間に備品収納部を設け、上記左右の各折曲片を各折り目により上記備品収納部側に折り込んで当該左右の各折曲片の先端部を当該開閉天板の切り込み内に差し入れるか、又は上記備品収納部内に差し入れ、上記一方の開閉天板を折り目により略水平に折り込んで把手片を起立させ、さらに、他方の開閉天板を折り目により略水平に折り込んで当該開閉天板の把手片を起立させて上記一方の開閉天板の把手片と重ね、各把手片の両側の係止片に各被係止片の長孔を嵌入する。
【００１９】
これらにより、当該紙箱内には殆ど突出せず、かつ紙箱内のケーキ等を入れるスペースと完全に区分され、さらに、保冷体等を収納し易く、かつ保冷体等が落下し難い備品収納部を設けることが出来る。
【実施例１】
【００２０】
以下、この発明の実施例１を図に基づいて説明する。
この発明の実施例１の組立て紙箱Ａ（以下、「紙箱Ａ」と言う。）は、図１及び図３に示すように、横長の直方体形状から成る。
【００２１】
図２に示すのは、この紙箱Ａの展開図であり、横長の長方形状の底板１の前端縁に折り目ａを介して前側板２を設け、この前側板２の前端縁に折り目ｂを介して、上記底板１と比べ前後の長さが半分である開閉前天板３を設け、この開閉前天板３の前端縁に折り目ｃを介して略台形状の把手片４を設けている。この把手片４の左右の端部には、略三角形状の係止片５を夫々設け、また、上記折り目ｃの中央部分から略山型の切り込み６（切り込み片６ａ）を設けている。
【００２２】
さらに、この開閉前天板３の左右の各端縁には、折り目ｄを介して略四角形状の左右の各内側天板７を設けている。これらの各内側天板７は、開閉前天板３の左右の各端縁から、当該各端縁とほぼ同じ幅で左右方向に夫々延ばされ、さらに前端縁のみ前側に一定長拡張され、その状態で左右方向に一定長夫々延ばされて形成されている。また、これらの各内側天板７の左右の端縁を湾曲した凹形状に夫々設けている。また、これらの各内側天板７には、通気用の円形状の貫通孔８を３個ずつ設けており、これらの各内側天板７の前端縁の左右部分には折り目ｅを介して夫々縦長形状の折曲片９を設けており、各折曲片９の先端部の把手片４側の端縁には突起９ａを夫々設けている。
【００２３】
また、底板１の左端縁に折り目ｆを介して左外側板１０を設け、この左外側板１０の前端縁に折り目ｇを介して折り込み板１１を設けている。また、底板１の右端縁に折り目ｈを介して右外側板１２を設け、この右外側板１２の前端縁に折り目ｉを介して折り込み板１３を設けている。
【００２４】
また、これらの左外側板１０と右外側板１２には、底板１の後端縁の折り目ｊの各端部から左外側板１０及び右外側板１２の外側角部に向けて対角線折り目ｋを夫々設けている。さらに、各折り目ｆ、ｈの前側の位置に一定長の切り込み１４、１５を設け、後述する左内側板、右内側板を立設した際、当該左内側板、右内側板の各突部を挿入し係止するようにしている。
【００２５】
底板１の後端縁に折り目ｊを介して後側板１６を設け、この後側板１６の後端縁に折り目ｌを介して上記底板１と比べ前後の長さが半分である開閉後天板１７を設け、この開閉後天板１７の後端縁に折り目ｍを介して略台形状の把手片１８を設けている。この把手片１８の左右の端部には、略三角形状の係止片１９を夫々設け、また、上記折り目ｍの中央部分から略山型の切り込み２０（切り込み片２０ａ）を設けている。
【００２６】
さらに、上記後側板１６の左端縁に折り目ｎを介して左内側板２１を設け、この左内側板２１の後端縁に折り目ｏを介して略三角形状の被係止片２２を設けている。この被係止片２２において、折り目ｏの中央の位置から上方に一定長の切り込み２３を入れ、この切り込み２３の頂き部から開閉後天板１７側に下向き曲線状の切り込み２４を設けている。
【００２７】
また、後側板１６の右端縁にも同様に、折り目ｐを介して右内側板２５を設け、この右内側板２５の後端縁に折り目ｑを介して略三角形状の被係止片２６を設けている。この被係止片２６において、折り目ｑの中央の位置から上方に一定長の切り込み２７を入れ、この切り込み２７の頂き部から開閉後天板１７側に下向き曲線状の切り込み２８を設けている。
【００２８】
さらに、これらの左内側板２１、右内側板２５の前端縁の夫々外側の一部に、突部２１ａ、２５ａを残して当該各前端縁を内側に一定長切り欠いている。また、底板１の後端縁の折り目ｊの中央部分に一定長の切り込み２９を設けている。
【００２９】
続いて、この様な紙箱Ａを組立て、保冷体３０を収納する。
この紙箱Ａを各折り目により各側板及び上記各折り込み板等を夫々内側に折り込んで底板１の周囲の各端縁に左内側板２１、右内側板２５、左外側板１０、右外側板１２、前側板２、後側板１６を立設する。
【００３０】
そして、左外側板１０を外側にして左内側板２１と、また、右外側板１２を外側にして右内側板２５とを夫々重ね合わせて、左外側板１０の内面の上部（図２において折り目ｋの上部の斜線で示す。）と左内側板２１の外面の上部（図２において点線斜線で示す。）、及び右外側板１２の内面の上部（図２において折り目ｋの上部の斜線で示す。）と右内側板１２の外面の上部（図２において点線斜線で示す。）を夫々貼着する。また、その際、左内側板２１の突部２１ａ及び右内側板２５の突部２５ａを夫々上記切り込み１４、１５に挿入係止する。また、左外側板１０及び右外側板１２の前端縁の折り込み板１１、１３を夫々折り目ｇ、ｉにより、前側板２の内側に折り込んでおく。
【００３１】
また、図３に示すように、開閉前天板３の左右の各内側天板７を、各折り目ｄを介して当該開閉前天板３上に折り込んで当該開閉前天板３上で重なり合った当該左右の各内側天板７の、図３における前側板２側の突出した個所（図３において、×印で示す）を貼着して、当該開閉前天板３と左右の各内側天板７との間に備品収納部３１を設ける。この時、貼着された左右の各内側天板７の大きさを底板１と略同じ大きさに設けている。
【００３２】
上記備品収納部３１に保冷体３０を収納した後、上記左右の各折曲片９を各折り目ｅにより上記保冷体３０側に折り込んで当該左右の各折曲片９の先端部９ｂを、図１に示すように、予め外側に折り込んだ把手片４により形成された開閉前天板３の切り込み６内に差し入れる。この時、当該左右の各折曲片９が、当該切り込み６から抜けようとしても各折曲片９の各突起９ａが切り込み６の内端縁に引っかかって抜け難く、略固定される（図示省略）。
【００３３】
この後、上記開閉前天板３を折り目ｂにより略水平に折り込んで当該紙箱Ａの開口部を閉じ、また、開閉後天板１７を折り目ｌにより略水平に折り込んで当該紙箱Ａの開口部を閉じ、図４に示すように、把手片１８を外側に折ることにより、開閉後天板１７の切り込み片２０ａが突出し、これを開閉前天板３の切り込み６内の左右の各折曲片９の先端部９ｂの上に差し入れる。これにより、左右の各折曲片９の先端部９ｂは、切り込み片６ａと切り込み片２０ａに挟まれて簡単には抜けないようになっている（図示省略）。
【００３４】
さらに、この時、図５に示すように、左右の折曲片９を切り込み６に入れる代わりに、開閉前天板３の下面と保冷体３０の間に差し入れて抜け難くし、略固定するようにしても良い。
【００３５】
また、この紙箱Ａを折り畳むには、上記左外側板１０及び上記右外側板１２の上記対角線折り目ｋを夫々内側に折り込んで底板１上に左外側板１０、左内側板２１、右外側板１２及び右内側板２５を夫々折り込む。この時、左内側板２１、右内側板２５の各突部２１ａ、２５ａは、底板１の折り目ｊの切り込み２９の中に挿入される。また、これにより、後側板１６及び開閉後天板１７も、左内側板２１、右内側板２５に引っ張られて折り畳まれる（図示省略）。
【００３６】
この様にして、この紙箱Ａは、店頭等において、上記各側板及び各折り込み板を夫々の折り目により折り込んで、容易に、組立てられ、かつ容易に保冷体３０を備品収納部３１に安定して収納することが出来る。
また、上記左右の各内側天板２１、２５の左右の各端縁を湾曲した略凹形状に夫々設けたので、これらの相対向した突部の少なくとも一方を貼り付ければ、備品収納部３１は形成され、便利である。また、当該備品収納部３１内に、保冷体３０を入れた場合、この略凹形状による隙間により、冷気の流通が促進される。
【００３７】
なお、上記実施例１において、把手部付組立て紙箱Ａの各側板の構成として、具体的に記載しているが、把手部付組立て紙箱Ａの各側板の構成としては、これに限定するものではなく、他の構成のものでもよい。また、折曲片９として、縦長形状で先端部の端縁に突起９ａを設けたものを使用しているが、折曲片９の形状としてはこれに限定するものではなく、例えば、把手片４、１８の切り込み６、２０に最適な長さで係止出来るように、先端部の突起として小さなものを複数個設けたものでもよい。
【００３８】
また、備品収納部３１に収納するものとして、保冷体３０を使用したが、保冷体３０の他、ローソク、ナプキン等の備品を収納することが出来る。また、各内側天板７に通気用の貫通孔８として、円形状のものを３個夫々形成したが、貫通孔８の形状や個数は、適宜必要な形状及び数量を設ければよく、もちろん、なくても良い。
【図面の簡単な説明】
【００３９】
【図１】この発明の実施例の紙箱の備品収納部に保冷体を載置し、組立て途中を示す斜視図である。
【図２】この発明の実施例の紙箱の展開図である。
【図３】この発明の実施例の紙箱の組立て途中の状態の斜視図である。
【図４】この発明の実施例の備品収納部に保冷体を収納し、開閉天板を閉じた状態の斜視図である。
【図５】この発明の実施例の紙箱の備品収納部に保冷体を載置し、左右の各内側天板の折曲片の各先端を開閉天片の下面と保冷体の間に差し入れた状態の斜視図である。
【符号の説明】
【００４０】
Ａ    紙箱                              
１    底板                              ３    開閉前天板
７    内側天板                          ８    貫通孔
９    折曲片                          １７    開閉後天板
【図１】
0004727409.tif 000002
【図２】
0004727409.tif 000003
【図３】
0004727409.tif 000004
【図４】
0004727409.tif 000005
【図５】
0004727409.tif 000006